(57)【要約】【課題】  パソコンが無い状況下において、記録媒体の保存領域を不必要に圧迫することなく、ＲＡＷ形式の画像信号について現像を行い規格化されたフォーマットに変換する装置を提供する。【解決手段】  撮像装置は、第１撮像動作により画像信号を取得する撮像ブロックと、画像信号に対応する画像データをＲＡＷ形式で記録する記録媒体Ｍと、ＲＡＷ形式で記録した画像データを、撮影条件を有するパラメータに基づいて現像を行い規格化されたフォーマットに変換する制御部とを備える。【選択図】        図２
2007053537.tif 000002
【特許請求の範囲】
【請求項１】
第１撮像動作により画像信号を取得する撮像ブロックと、
前記画像信号に対応する画像データをＲＡＷ形式で記録する記録媒体と、
前記ＲＡＷ形式で記録した画像データを、撮影条件を有するパラメータに基づいて現像を行い規格化されたフォーマットに変換する制御部とを備えることを特徴とする撮像装置。
【請求項２】
前記記録媒体には、前記規格化されたフォーマットに変換された画像データが記録されることを特徴とする請求項１に記載の撮像蔵置。
【請求項３】
前記記録媒体には、前記規格化されたフォーマットに変換された画像データと、前記現像で使用したパラメータとを格納したファイルが記録されることを特徴とする請求項１に記載の撮像装置。
【請求項４】
前記記録媒体には、前記ＲＡＷ形式で記録された画像データと前記第１撮像動作における撮影条件を有する第１パラメータとを格納したファイルが記録されることを特徴とする請求項１に記載の撮像装置。
【請求項５】
前記現像は、前記第１撮像動作における撮影条件を有する第１パラメータに基づいて行われることを特徴とする請求項１に記載の撮像装置。
【請求項６】
前記制御部は、前記現像を行い複数種類の規格化されたフォーマットに変換することを特徴とする請求項１に記載の撮像装置。
【請求項７】
前記複数種類の規格化されたフォーマットに変換された画像データを格納したファイルは、それぞれ別の記録媒体に記録されることを特徴とする請求項６に記載の撮像装置。
【請求項８】
前記現像は、前記第１撮像動作時と別に設定された撮影条件を有する第２パラメータに基づいて行われることを特徴とする請求項１に記載の撮像装置。
【請求項９】
前記記録媒体には、前記第２パラメータを格納したファイルが記録されることを特徴とする請求項８に記載の撮像装置。
【請求項１０】
前記第２パラメータは、前記第１撮像動作とは別の第２撮像動作時に得られた画像データと同じファイルに格納されることを特徴とする請求項９に記載の撮像装置。
【請求項１１】
操作部を更に備え、
前記制御部は、使用者が前記操作部を操作することにより設定された撮影条件を有する撮影パラメータを、前記第２パラメータとして前記現像に使用することを特徴とする請求項８に記載の撮像装置。
【請求項１２】
前記制御部は、前記複数種類の撮影パラメータを有し、前記複数種類の撮影パラメータの中から選択された撮影パラメータを前記第２パラメータとして、前記現像に使用することを特徴とする請求項８に記載の撮像装置。
【請求項１３】
前記制御部は、前記第１撮像動作時と別に行われる第３撮像動作時の撮影条件を有する撮影パラメータを、前記第２撮影パラメータとして前記現像に使用することを特徴とする請求項８に記載の撮像装置。
【請求項１４】
前記撮影条件は、ホワイトバランス、画像サイズ、画質、色空間、彩度、コントラスト、シャープネス、オプティカルブラック値、現像ゲイン、カラーマトリクス、及びトーンテーブルのうち少なくとも１つに関する情報であることを特徴とする請求項１に記載の撮像装置。
【発明の詳細な説明】
【技術分野】
【０００１】
本発明は、撮像装置に関し、特にＲＡＷ形式の画像の現像をパソコン無しで行う装置に関する。
【背景技術】
【０００２】
ＲＡＷ形式で記録された画像は、パソコン等にインストールされた専用のソフトウェアで編集可能であり、ＪＰＥＧ形式などの規格化されたフォーマットにて編集した場合に比べて、圧縮などによる画質劣化を起こすことなく精細な画質が得られる特徴を有するＲＡＷ形式で画像信号を記録することが可能なデジタルカメラが提案されている。
【０００３】
特許文献１は、ＲＡＷ形式で記録された画像データに、画像データを任意のパソコンで現像出来るように自己展開出来るモジュールを添付したファイルを開示する。
【特許文献１】特開２００３−２８９４９８号公報
【発明の開示】
【発明が解決しようとする課題】
【０００４】
しかし、ＲＡＷ形式の画像の現像には、現像に必要なソフトウェアがインストールされたパソコン等が必要であるため、ＲＡＷ形式の画像データは、パソコン等が無い状況下で、撮像して直ちに画像を見たい場合に不適である。かかる場合を考慮して、撮像時にＲＡＷ形式に加えてＪＰＥＧ形式などの規格化されたフォーマットでの同時記録をすると、パソコン等が無い状況下でも画像を見ることが出来るが、記録媒体の保存領域を不必要に圧迫する上、記録動作時間が増えるのでシャッターチャンスを逃すおそれがある。
【０００５】
したがって本発明の目的は、パソコンが無い状況下において、記録媒体の保存領域を不必要に圧迫することなく、ＲＡＷ形式の画像信号について現像を行い規格化されたフォーマットに変換する装置を提供することである。
【課題を解決するための手段】
【０００６】
本発明に係る撮像装置は、第１撮像動作により画像信号を取得する撮像ブロックと、画像信号に対応する画像データをＲＡＷ形式で記録する記録媒体と、ＲＡＷ形式で記録した画像データを、撮影条件を有するパラメータに基づいて現像を行い規格化されたフォーマットに変換する制御部とを備える。
【０００７】
好ましくは、記録媒体には、規格化されたフォーマットに変換された画像データが記録される。
【０００８】
また、好ましくは、記録媒体には、規格化されたフォーマットに変換された画像データと、現像で使用したパラメータとを格納したファイルが記録される。
【０００９】
また、好ましくは、記録媒体には、ＲＡＷ形式で記録された画像データと第１撮像動作における撮影条件を有する第１パラメータとを格納したファイルが記録される。
【００１０】
また、好ましくは、現像は、第１撮像動作における撮影条件を有する第１パラメータに基づいて行われる。
【００１１】
また、好ましくは、制御部は、現像を行い複数種類の規格化されたフォーマットに変換する。
【００１２】
さらに好ましくは、複数種類の規格化されたフォーマットに変換された画像データを格納したファイルはそれぞれ別の記録媒体に記録される。
【００１３】
また、好ましくは、現像は、第１撮像動作時と別に設定された撮影条件を有する第２パラメータに基づいて行われる。
【００１４】
さらに好ましくは、記録媒体には、第２パラメータを格納したファイルが記録される。
【００１５】
さらに好ましくは、第２パラメータは、第１撮像動作とは別の第２撮像動作時に得られた画像データと同じファイルに格納される。
【００１６】
また、好ましくは、操作部を更に備え、制御部は、使用者が操作部を操作することにより設定された撮影条件を有する撮影パラメータを、第２パラメータとして現像に使用する。
【００１７】
また、好ましくは、制御部は、複数種類の撮影パラメータを有し、複数種類の撮影パラメータの中から選択された撮影パラメータを第２パラメータとして、現像に使用する。
【００１８】
また、好ましくは、制御部は、第１撮像動作時と別に行われる第３撮像動作時の撮影条件を有する撮影パラメータを、第２撮影パラメータとして現像に使用する。
【００１９】
また、好ましくは、撮影条件は、ホワイトバランス、画像サイズ、画質、色空間、彩度、コントラスト、シャープネス、オプティカルブラック値、現像ゲイン、カラーマトリクス、及びトーンテーブルのうち少なくとも１つに関する情報である。
【発明の効果】
【００２０】
以上のように本発明によれば、パソコンが無い状況下において、記録媒体の保存領域を不必要に圧迫することなく、ＲＡＷ形式の画像信号について現像を行い規格化されたフォーマットに変換する装置を提供することができる。
【発明を実施するための最良の形態】
【００２１】
以下、本発明の第１実施形態について、図を用いて説明する。第１実施形態における撮像装置１は、撮像ブロック１０、制御部３０、メモリ部４０、表示部５０、及び操作部６０とを備える（図１参照）。本実施形態では、撮像装置１は、デジタルカメラである。
【００２２】
撮像ブロック１０は、撮像光学系、ＣＣＤやＣＭＯＳなどの撮像素子、及び信号処理回路を有する。被写体像が撮像光学系を介して投影された光学像は、撮像素子の撮像面に結像される。撮像素子は、光学像を光電変換によって電気信号に変換する。撮像素子で一定時間（露光時間）蓄積された後、読み出しされた電荷に基づく電気信号は、信号処理回路に出力される。信号処理回路は、撮像されて得られた被写体の電気信号を、画像信号として制御部３０に出力する。
【００２３】
制御部３０は、各部の制御を行う装置で、例えばＤＳＰ（Ｄｉｇｉｔａｌ  Ｓｉｇｎａｌ  Ｐｒｏｃｅｓｓｏｒ）、ＣＰＵ（Ｃｅｎｔｒａｌ  Ｐｒｏｃｅｓｓｉｎｇ  Ｕｎｉｔ）が挙げられる。
【００２４】
制御部３０は、撮像ブロック１０から出力される画像信号に基づいて、記録媒体Ｍに記録可能な画像データを出力する。
【００２５】
メモリ部４０は、記録媒体Ｍが挿入されるスロットを有し、記録媒体Ｍに、撮像により得られた画像データを、所定のファイル形式（ＲＡＷ形式、ＪＰＥＧ形式、ＴＩＦＦ形式など）で記録する。表示部５０は、撮像により得られた画像や操作に関する情報を表示する。記録媒体Ｍは、ＳＤカードなどのリムーバブルメディアであり、撮像装置１及びパソコン等でファイルの読み出し書き込みが可能である。
【００２６】
ＲＡＷ形式の画像データ（ＲＡＷデータ）が格納されるファイルには、第１撮像動作時の撮影条件を有する第１パラメータが添付される。第１パラメータは、第１撮像動作時の撮影条件を有する撮影パラメータである。撮影条件は、具体的には、ホワイトバランス（ホワイトバランスゲイン）、画像サイズ（画像の幅や高さ）、画質（圧縮率）、色空間、彩度、コントラスト、シャープネス、オプティカルブラック値（ＯＢ値）、現像ゲイン（ＩＳＯ感度調整値）、カラーマトリックス、及びトーンテーブルに関する情報である。ＲＡＷ形式の画像データは、これらの撮影条件を考慮した画像処理を行うことにより表示部５０で観察可能な画像に変換される。
【００２７】
ホワイトバランス補正は、ＲＧＢごとにゲイン値を乗算処理することによって行われる。画像サイズは、画像のピクセル値であり、この値を元にリサイズが行われる。画質（圧縮率）は、ＪＰＥＧなど規格化されたフォーマットに変換する際の圧縮率である。色空間は、ＲＧＢに対して３×３マトリクス演算を行い、色空間のベクトル合わせに使用される。彩度は、色の濃さ調整として、色空間用のパラメータの一部として使用される。コントラストは、明暗差調整に使用され、トーンテーブルを選択するパラメータとして使用される。シャープネスは、ＹＣｂＣｒに対して輪郭補正処理に使用される。オプティカルブラック値は、露光時間中に発生する暗電流を含めた撮像素子のオフセット量で、撮像素子の出力の露光量０のレベルを合わせるために使用される。現像ゲインは、ＲＧＢごとにゲイン値の乗算処理を行う時の、ＩＳＯ感度によるホワイトバランス補正を行うのに使用される。カラーマトリックスは、色空間用のパラメータ（色補正係数）の一部として使用される。トーンテーブルは、γ補正に使用され、階調変換を行う。
【００２８】
第１実施形態では、同じファイルに格納された第１パラメータを使用して、ＲＡＷデータを現像する（図２〜４参照）。
【００２９】
操作部６０は、レリーズスイッチ（不図示）のオンオフ制御、使用者による現像処理の指示、及び現像するＲＡＷデータを格納したファイルの選択に用いられる。レリーズスイッチをオン状態にすることにより第１撮像動作が行われる。現像処理は、撮像装置１の第１撮像動作に連動せず、使用者が操作部６０を操作することによる指示によって行われる。現像処理の指示は、ＲＡＷデータを有するファイルを１つだけ指定して行っても良いし（図２参照）、ＲＡＷデータを有するファイルを複数指定して行っても良い（図３参照）。
【００３０】
制御部３０は、使用者により指定されたファイルにある第１撮像動作時のＲＡＷデータを、同じファイル内の第１撮像時の第１パラメータを使って、画像処理（現像）を行い、ＪＰＥＧ形式、ＴＩＦＦ形式など規格化されたフォーマットに変換し、規格化されたフォーマットの画像データを、メモリ部４０を介して記録媒体Ｍに記録する。現像処理され、規格化されたフォーマットに変換された画像データが格納されたファイル（規格化ファイル）には、現像処理で使用された第１パラメータが添付される。画像処理（現像）は、撮像動作とは別に使用者による任意のタイミングで行われる。
【００３１】
規格化されたフォーマットへの変換は、ＪＰＥＧ形式とＴＩＦＦ形式など複数種類行われても良い（図４参照）。現像処理され、規格化されたフォーマットに変換された画像データを格納したファイルは、ＲＡＷデータを格納したファイルと同じ記録媒体Ｍに記録されてもよいし（図２参照）、別の記録媒体Ｍ１、Ｍ２に記録されてもよい（図４参照）。
【００３２】
ＲＡＷ形式で記録された画像データは、パソコン等にインストールされた専用のソフトウェアで編集可能であり、ＪＰＥＧ形式などの規格化されたフォーマットで記録された画像データを編集した場合に比べて、圧縮などによる画質劣化を起こすことなく精細な画質が得られる特徴を有する。
【００３３】
しかし、ＲＡＷ形式の画像データに対応する画像は表示部５０で見ることが出来ない。ＲＡＷ形式の画像データを画像として表示するには、ＲＡＷデータの現像処理が必要である。現像には、専用のソフトウェアがインストールされたパソコン等が必要であるため、撮像して直ちに現像したい（画像を見たい）場合に不適である。撮像して直ちに画像を見たい場合を考慮して、撮像時にＲＡＷデータに加えてＪＰＥＧ形式などの規格化されたフォーマットでの画像データも同時記録すると、記録媒体Ｍの保存領域を不必要に圧迫する上、記録動作時間が増えるのでシャッターチャンスを逃すおそれがある。また、専用のソフトウェアを使った現像では、現像処理がパソコン上で行われるので、撮像装置１で撮像した状況を正確に反映させられないことも考えられる。
【００３４】
第１実施形態では、第１撮像動作後の任意のタイミングに、ＲＡＷデータを撮像装置１内で現像する。そのため、専用のソフトウェアがインストールされたパソコンが無い状況でも、現像が可能になる。また、ＲＡＷデータを格納したファイルと、使用者にとって必要な画像の規格化された画像データを格納したファイルだけが記録媒体Ｍに記録されるので、記録媒体Ｍの保存領域が不必要に圧迫されない。また、撮像動作時とは異なる任意のタイミングで現像されるので、第１撮像動作時にＪＰＥＧ形式の画像データを同時記録する場合に比べて、連続して撮像動作を行う場合等のタイムラグが減少する。
【００３５】
また、撮像装置１を使って現像されるので、パソコン上で現像処理する場合に比べて、撮像装置１で撮像した状況を正確に反映させることが可能である。
【００３６】
次に、第２実施形態について説明する。第１実施形態では、第１撮像動作時の撮影パラメータである第１パラメータを使用して、ＲＡＷデータを現像するが（図２〜４参照）、第２実施形態では、第１撮像動作時の撮影パラメータ（第１パラメータ）と別に設定した第２パラメータを使用して現像を行う（図５参照）。
【００３７】
操作部６０は、レリーズスイッチ（不図示）のオンオフ制御、使用者による現像処理の指示、第２パラメータを格納したファイルの選択、及び現像するＲＡＷデータを格納したファイルの選択に用いられる。第２パラメータは、パソコン上で使用者により設定されたテキスト形式などのデータファイルで、現像において最適と思われる値が、記録媒体Ｍに記録される。
【００３８】
制御部３０は、使用者により指定されたファイルにある第１撮像時のＲＡＷデータを、別のファイル内の第２パラメータを使って、画像処理（現像）を行い、ＪＰＥＧ形式、ＴＩＦＦ形式など規格化されたフォーマットに変換し、規格化されたフォーマットの画像データを、メモリ部４０を介して記録媒体Ｍに記録する。現像処理され、規格化されたフォーマットに変換された画像データが格納されたファイルには、現像処理で使用された第２パラメータが添付される。
【００３９】
第２パラメータをつかった現像処理による画像と、第１パラメータを使った現像処理による画像とが比較できるように、制御部３０は第１、第２パラメータのそれぞれを使って現像処理を行い、表示部５０に第１、第２パラメータのそれぞれを使った現像処理による画像を表示させてもよい。
【００４０】
その他の構成は、第１実施形態と同じである。第２実施形態では、第１撮像動作時と異なる撮影条件を使って現像することが可能になる。例えば、第１撮像動作時が昼間であった場合でも、第２パラメータによって夕暮れの雰囲気を持った画像を現像することが可能になる。
【００４１】
次に第３実施形態について説明する。第２実施形態では、使用者によって設定された第２パラメータを使って現像を行う形態を説明したが、第３実施形態では、第１撮像動作時とは別の第２撮像動作時に得られた撮影条件を有するパラメータを第２パラメータとして現像に利用する（図６参照）。
【００４２】
操作部６０は、レリーズスイッチ（不図示）のオンオフ制御、使用者による現像処理の指示、第２パラメータとして利用するＲＡＷデータを格納したファイルの選択、及び現像するＲＡＷデータを格納したファイルの選択に用いられる。第２パラメータは、現像したいＲＡＷデータを取得した第１撮像動作と異なる第２撮像動作で得られた撮影条件を有する撮影パラメータであり、第２撮像動作で得られたＲＡＷデータ（またはＪＰＥＧなど規格化された画像データ）が格納されるファイルに添付される。
【００４３】
制御部３０は、使用者により指定されたファイルにある第１撮像時のＲＡＷデータを、使用者によって指定されたファイルにある第２撮像時の第２パラメータを使って、画像処理（現像）を行い、ＪＰＥＧ形式、ＴＩＦＦ形式など規格化されたフォーマットに変換し、規格化されたフォーマットの画像データを、メモリ部４０を介して記録媒体Ｍに記録する。現像処理され、規格化されたフォーマットに変換された画像データが格納されたファイルには、現像処理で使用された第２パラメータが添付される。
【００４４】
第２撮像動作時の被写体は、第２パラメータとして利用したい値が得られるような被写体であり、カラーチャートのような基本的な画像であってもよい。
【００４５】
第２パラメータとして利用する画像データがＲＡＷデータの場合は、ＲＡＷデータを予め第２パラメータを使って現像処理し、現像処理した画像と第２パラメータの値とを表示部５０に表示させて、使用者の現像イメージと合うか否かを確認してもよい。第２パラメータとして利用する画像データがＪＰＥＧなどの規格化された画像データの場合は、ＪＰＥＧなどの規格化された画像と第２パラメータの値とを表示部５０に表示させて、使用者の現像イメージと合うか否かを確認してもよい。
【００４６】
その他の構成は、第２実施形態と同じである。第３実施形態では、第２実施形態と同様、第１撮像動作時と異なる撮影条件を使って現像することが可能になる。また、第２実施形態と異なり、撮像装置１上の操作で所望の第２パラメータを取得することが可能になる。
【００４７】
次に第４実施形態について説明する。第２実施形態では、第２パラメータは記録媒体Ｍにテキストファイル形式で記録されるとして説明したが、第４実施形態では、現像処理時に、撮像装置１の操作部６０をつかって第２パラメータを設定し、現像に利用する（図７参照）。
【００４８】
操作部６０は、レリーズスイッチ（不図示）のオンオフ制御、使用者による現像処理の指示、第２パラメータの設定、及び現像するＲＡＷデータを格納したファイルの選択に用いられる。第２パラメータの設定は、操作部６０の操作を操作することにより行われ、設定状況はメニュー設定画面として表示部５０に出力される。第２パラメータは、現像処理時に使用者によって任意設定される。
【００４９】
制御部３０は、使用者により指定されたファイルにある第１撮像時のＲＡＷデータを、使用者によって設定された第２パラメータを使って、画像処理（現像）を行い、ＪＰＥＧ形式、ＴＩＦＦ形式など規格化されたフォーマットに変換し、規格化されたフォーマットの画像データを、メモリ部４０を介して記録媒体Ｍに記録する。現像処理され、規格化されたフォーマットに変換された画像データが格納されたファイルには、現像処理で使用された第２パラメータが添付される。
【００５０】
その他の構成は、第２実施形態と同じである。第４実施形態では、第２、第３実施形態と同様、第１撮像動作時と異なる撮影条件を使って現像することが可能になる。また、第３実施形態と同様、撮像装置１上の操作で所望の第２パラメータを取得することが可能になる。
【００５１】
次に第５実施形態について説明する。第４実施形態では、現像処理時に、第２パラメータを設定するとして説明したが、第５実施形態では、撮像装置１に予め設定された撮影条件を有する撮影パラメータを複数種類用意し、いずれかを選択して第２パラメータとして現像に利用する（図８参照）。
【００５２】
操作部６０は、レリーズスイッチ（不図示）のオンオフ制御、使用者による現像処理の指示、第２パラメータの選択、及び現像するＲＡＷデータを格納したファイルの選択に用いられる。第２パラメータの選択は、操作部６０の操作（例えばピクチャーモードのダイヤル選択）を操作することにより行われる。撮像装置１は、異なる撮影条件を有する撮影パラメータを複数種類有し、そのうち使用者によって選択された１つの撮影パラメータが第２パラメータとして使用される。図８では、撮像装置１は、３つの撮影パラメータ（撮影パラメータａ、ｂ、ｃ）を有し、使用者によって撮影パラメータａが第２パラメータとして選択された状態を示す。
【００５３】
制御部３０は、使用者により指定されたファイルにある第１撮像時のＲＡＷデータを、使用者によって選択された撮影パラメータを第２パラメータとして使って、画像処理（現像）を行い、ＪＰＥＧ形式、ＴＩＦＦ形式など規格化されたフォーマットに変換し、規格化されたフォーマットの画像データを、メモリ部４０を介して記録媒体Ｍに記録する。現像処理され、規格化されたフォーマットに変換された画像データが格納されたファイルには、現像処理で使用された第２パラメータが添付される。
【００５４】
その他の構成は、第４実施形態と同じである。第５実施形態では、第２〜第４実施形態と同様、第１撮像動作時と異なる撮影条件を使って現像することが可能になる。また、第３、第４実施形態と同様、撮像装置１上の操作で所望の第２パラメータを取得することが可能になる。また、撮像装置１に予めいくつかの撮影パラメータが用意されているので、使用者はその中から１つの撮影パラメータを選択すればよく、第２パラメータの設定が簡素化できる。
【００５５】
次に第６実施形態について説明する。第４実施形態では、現像処理時に、第２パラメータを設定するとして説明したが、第６実施形態では、現像処理時にレリーズスイッチをオン状態にして撮影条件を得、その撮影条件を有する撮影パラメータを第２パラメータとして現像に利用する（図９参照）。
【００５６】
操作部６０は、レリーズスイッチ（不図示）のオンオフ制御、使用者によって現像処理の指示、及び現像するＲＡＷデータを格納したファイルの選択に用いられる。
【００５７】
第３撮像動作時の被写体は、第２パラメータとして利用したい値が得られるような被写体であり、カラーチャートのような基本的な画像であってもよい。
【００５８】
第６実施形態では、現像処理過程においてレリーズスイッチがオン状態にされると、撮影条件を得るための第３撮像動作が行われる。第３撮像動作時の撮影条件（ホワイトバランス、オプティカルブラック値）を有する撮影パラメータが第２パラメータとして現像に使用される。第３撮像動作時に得られたホワイトバランスやオプティカルブラック値については、表示部５０でスルー画像の上に重ねて表示して使用者が確認できるのが望ましい。
【００５９】
制御部３０は、使用者により指定されたファイルにある第１撮像時のＲＡＷデータを、第２パラメータを使って、画像処理（現像）を行い、ＪＰＥＧ形式、ＴＩＦＦ形式など規格化されたフォーマットに変換し、規格化されたフォーマットの画像データを、メモリ部４０を介して記録媒体Ｍに記録する。現像処理され、規格化されたフォーマットに変換された画像データが格納されたファイルには、現像処理で使用された第２パラメータが添付される。
【００６０】
その他の構成は、第４実施形態と同じである。第６実施形態では、第２〜第５実施形態と同様、第１撮像動作時と異なる撮影条件を使って現像することが可能になる。また、第３〜第５実施形態と同様、撮像装置１上の操作で所望の第２パラメータを取得することが可能になる。また、レリーズスイッチをオン状態にすることによる第３撮像動作で得られた撮影条件を有する撮影パラメータが第２パラメータとして現像に使用されるので、第２パラメータの設定が簡素化できる。
【図面の簡単な説明】
【００６１】
【図１】第１実施形態における撮像装置の構成図である。
【図２】第１実施形態における１つのＲＡＷデータの現像を示す構成図である。
【図３】第１実施形態における複数のＲＡＷデータの現像を示す構成図である。
【図４】第１実施形態における複数の規格化されたフォーマットへの変換を示す構成図である。
【図５】第２実施形態におけるＲＡＷデータの現像を示す構成図である。
【図６】第３実施形態におけるＲＡＷデータの現像を示す構成図である。
【図７】第４実施形態におけるＲＡＷデータの現像を示す構成図である。
【図８】第５実施形態におけるＲＡＷデータの現像を示す構成図である。
【図９】第６実施形態におけるＲＡＷデータの現像を示す構成図である。
【符号の説明】
【００６２】
１  撮像装置
１０  撮像ブロック
３０  制御部
４０  メモリ部
５０  表示部
６０  操作部
Ｍ  記録媒体
【図１】
2007053537.tif 000003
【図２】
2007053537.tif 000004
【図３】
2007053537.tif 000005
【図４】
2007053537.tif 000006
【図５】
2007053537.tif 000007
【図６】
2007053537.tif 000008
【図７】
2007053537.tif 000009
【図８】
2007053537.tif 000010
【図９】
2007053537.tif 000011